(57)【要約】【課題】三方割の金型によって成形されたクリップの自由端部の反りを防止するクリップを提供する。【解決手段】本発明は、三方割の金型によって成形された筆記具用クリップ２であって、クリップ本体２２と、クリップ本体２２の下面に設けられた玉部２３とを備え、クリップ本体２２又は玉部２３は、その幅方向又は長手方向の長さが下方に向かって増大する逆テーパー状のテーパー部２６、２６０、２７０を有する、筆記具用クリップ２を提供する。【選択図】図３
2014046482.tif 000002
【特許請求の範囲】
【請求項１】
三方割の金型によって成形された筆記具用クリップであって、
クリップ本体と、
前記クリップ本体の下面に設けられた玉部と
を備え、
前記クリップ本体又は前記玉部は、その幅方向又は長手方向の長さが下方に向かって増大する逆テーパー状のテーパー部を有する、筆記具用クリップ。
【請求項２】
前記クリップ本体の上面の一部に凹部又は貫通孔が設けられる、請求項１に記載の筆記具用クリップ。
【請求項３】
前記凹部又は貫通孔が、成形後に上に移動する第１ブロックによって成形され、前記テーパー部が、成形後に前記第１ブロックの移動方向に対して垂直な方向で且つ互いに反対方向に開く第２ブロック及び第３ブロックによって成形される、請求項２に記載の筆記具用クリップ。
【請求項４】
請求項１に記載の筆記具用クリップを備えた、筆記具用部品。
【請求項５】
請求項１に記載の筆記具用クリップを備えた、筆記具。
【発明の詳細な説明】
【技術分野】
【０００１】
本発明は、筆記具用クリップに関し、特に、三方割の金型によって成形された筆記具用クリップに関する。さらに、本発明は、その筆記具用クリップを備えた筆記具用部品及び筆記具に関する。
【背景技術】
【０００２】
ボールペン等の筆記具にはクリップが備えられることが多い。クリップは、筆記具の転がりを防止し且つ紙や衣服等を軸筒とクリップとの間に狭持する役割を有する。クリップは典型的には金属又は樹脂製である。
【０００３】
特許文献１は金属製のクリップを開示する。クリップは、プレス加工等によって成形され、その後、筆記具の樹脂製の軸体に取り付けられる。
【０００４】
特許文献２は樹脂製のクリップを開示する。クリップは、射出成形等によって成形され、その後、筆記具の樹脂製のキャップに取り付けられる。
【０００５】
安価な筆記具を実現するためには、クリップを安価な樹脂から製造することが望ましい。さらに、後軸筒、軸筒、キャップ等の筆記具部品とクリップとを一体成形することによって、これら筆記具部品にクリップを取り付けるための製造工程を省くことができるので、更なるコストの削減が実現される。
【先行技術文献】
【特許文献】
【０００６】
【特許文献１】特許第４２８０８５８号公報
【特許文献２】特開２０００−３１８３７４号公報
【発明の概要】
【発明が解決しようとする課題】
【０００７】
しかしながら、筆記具部品とクリップとの一体成形は、より複雑な金型構造を必要とする。特許文献２の発明では、樹脂製のクリップには、キャップの突出部と係合するための貫通孔が形成されている。しかしながら、クリップがキャップと一体成形されないため、上下に開く単純な構造の金型を用いてクリップを成形することができる。
【０００８】
一方、クリップが筆記具部品と一体成形される場合、筆記具部品は、金型内でコアピンの周りに成形され、長手方向においてクリップと略平行に延びる。このため、クリップを成形する部分の金型は構造が制約される。この場合も、クリップが、平坦なクリップ本体と、クリップ本体の下面に設けられた玉部とを備えた単純な構造を有すれば、左右に開く単純な構造の金型を用いてクリップを成形することができる。
【０００９】
ところで、誤飲時の窒息防止のための通気性の確保といった機能又は外観上のデザイン性を高めるために、クリップ上面に貫通孔又は凹部を設けることがある。この場合、左右及び上の三方向に開く三方割の金型を用いてクリップを成形する必要がある。
【００１０】
三方割の金型を用いた成形では、成形後にクリップを離型するために、クリップ上面の貫通孔又は凹部を形成するためのブロックが最初に上に移動する。このとき、離型抵抗によって、上向きの力がクリップ全体に作用する。このことは、成形直後のクリップの強度が弱いので、クリップの変形を引き起こす場合がある。特に、筆記具部品に接続されていないクリップ本体の自由端部が上方向に反る不具合が生じやすい。斯かるクリップを備えた筆記具では、クリップの玉部が軸筒から浮くため、クリップは、軸筒との間に紙等を狭持するという本来の機能を果たすことができない。
【００１１】
また、最悪の場合、成形されたクリップの一部が離型後も金型の内部に残されたまま次の成形が行われる、いわゆる金型の二度押し、ひいては金型の破損が生じうる。このことは、自動的な連続成形による製造を妨げ、ひいては製造コストの増大をもたらす。
【００１２】
そこで、本発明は、上記の問題点に鑑みてなされたものであって、三方割の金型によって成形されたクリップの自由端部の反りを防止するクリップを提供することを目的とする。さらに、本発明は、機能性及びデザイン性の高い安価な筆記具を得ることを目的とする。
【課題を解決するための手段】
【００１３】
本発明の第１態様では、三方割の金型によって成形された筆記具用クリップであって、クリップ本体と、クリップ本体の下面に設けられた玉部とを備え、クリップ本体又は玉部は、その幅方向又は長手方向の長さが下方に向かって増大する逆テーパー状のテーパー部を有する、筆記具用クリップが提供される。なお、クリップの玉部側をクリップの「下」側と定義する。
【００１４】
本発明の第１態様では、クリップ本体の上面の一部に凹部又は貫通孔が設けられることが好ましい。
【００１５】
本発明の第１態様では、凹部又は貫通孔が、成形後に上に移動する第１ブロックによって成形され、テーパー部が、成形後に第１ブロックの移動方向に対して垂直な方向で且つ互いに反対方向に開く第２ブロック及び第３ブロックによって成形されることが好ましい。
【００１６】
本発明の第２態様では、本発明の第１態様の筆記具用クリップを備えた、筆記部用部品が提供される。
【００１７】
本発明の第３態様では、本発明の第１態様の筆記具用クリップを備えた、筆記具が提供される。
【発明の効果】
【００１８】
本発明によれば、三方割の金型によって成形されたクリップの自由端部の反りが防止される。さらに、本発明によれば、機能性及びデザイン性の高い安価な筆記具が得られる。
【図面の簡単な説明】
【００１９】
【図１】図１は、本発明の第１実施形態に係るクリップを備えた筆記具の正面図である。
【図２】図２は、図１の筆記具の平面図である。
【図３】図３は、図１のクリップ及び後軸筒の正面図である。
【図４】図４は、図３のクリップ及び後軸筒の平面図である。
【図５】図５は、図３のクリップ及び後軸筒の縦断面図である。
【図６】図６は、図３のＡ−Ａ方向から見たクリップの断面図である。
【図７】図７は、本発明の第１実施形態に係るクリップの概略図である。
【図８】図８は、図７のクリップの底面図である。
【図９】図９は、図８のＢ−Ｂ方向から見た、クリップを成形するための金型の断面図である。
【図１０】図１０は、図８のＢ−Ｂ方向から見たクリップの断面図である。
【図１１】図１１は、図８のＣ−Ｃ方向から見た、クリップを成形するための金型の断面図である。
【図１２】図１２は、本発明の第２実施形態に係るクリップの概略図である。
【発明を実施するための形態】
【００２０】
以下、添付図面を参照して本発明を説明する。また、添付図面において同一又は類似の構成要素には同一の参照符号が付される。
【００２１】
以下、図１及び図２を参照して、筆記具１の構成について簡単に説明する。図１は、本発明の第１実施形態に係るクリップ２を備えた筆記具１の正面図である。図２は、図１の筆記具１の平面図である。この実施形態では、筆記具１はノック式ボールペンである。なお、図１及び図２に示されるように、本明細書において、筆記具１の先端すなわちペン先側を筆記具１の「前」側と定義し、筆記具１の長手方向に沿って筆記具１のペン先とは反対側を筆記具１の「後」側と定義する。
【００２２】
筆記具１は、クリップ２と、クリップ２と一体である後軸筒３と、前軸筒４と、前軸筒４の外面上に形成されたグリップ５と、ノック部６と、前軸筒４の内部に収容されたレフィル（図示せず）とを備える。クリップ２及び後軸筒３と、前軸筒４及びグリップ５と、ノック部６と、レフィルとは、それぞれ別々に製造され、その後、互いに組み立てられる。
【００２３】
レフィルは、インキを収容したインキ収容管の前端部にボールペンチップを装着して構成される。ノック部６は、指で前後に移動せしめられることによってレフィルの前端部（ボールペンチップ）を前軸筒４の前端部から出入させる。クリップ２は、筆記具１の転がりを防止し且つ紙や衣服等を前軸筒４とクリップ２との間に狭持する役割を有する。グリップ５は使用時に人の指によって把持される。
【００２４】
グリップ５は典型的には二色成形によって前軸筒４の外面上に形成される。前軸筒４はポリプロピレン又はポリカーボネート等の硬質の樹脂材料によって構成され、一方、グリップ５は熱可塑性エラストマー（ＴＰＥ）等の軟質の樹脂材料によって構成される。
【００２５】
以下、図３〜図６を参照して、クリップ２及び後軸筒３の構成について説明する。図３は、図１のクリップ２及び後軸筒３の正面図である。図４は、図３のクリップ２及び後軸筒３の平面図である。図５は、図３のクリップ２及び後軸筒３の縦断面図である。
【００２６】
クリップ２及び後軸筒３は、一体であり、接続部２１を介して互いに接続される。クリップ２はクリップ本体２２及び玉部２３を備える。玉部２３は、接続部２１とは反対側のクリップ本体２２の自由端部２４において、クリップ本体２２の下面に設けられる。ただし、玉部２３は、クリップ本体２２の下面の他の位置に設けられてもよい。なお、図３、図７及び図１２に示されるように、本明細書において、クリップ２の玉部２３側をクリップ２の「下」側と定義し、クリップ２の短手方向に沿ってクリップ２の玉部２３とは反対側をクリップ２の「上」側と定義する。
【００２７】
図６は、図３のＡ−Ａ方向から見たクリップ２の断面図である。図６に示されるように、玉部２３は、後述する効果を得るために、その幅方向の長さが下方に向かって増大する逆テーパー状のテーパー部２６を有する。
【００２８】
図４及び図５に示されるように、クリップ本体２２の上面には、二つの楕円の間に画成された貫通孔２５が設けられる。このことによって、クリップ２ひいては筆記具１のデザイン性が高められる。また、クリップ２は、後軸筒３の代わりに、通気性を有さない取外し可能なキャップ（図示せず）と一体成形されてもよい。この場合、クリップ２の貫通孔２５は、誤飲時の窒息防止のための通気性を確保するという役割も果たす。
【００２９】
後軸筒３は後端部３１及び内筒部３２を備える。内筒部３２は、クリップ２及び後軸筒３と前軸筒４とが互いに組み立てられるとき、前軸筒４内に挿入されて前軸筒４と係合する。
【００３０】
次に、クリップ２及び後軸筒３の成形方法について説明する。
【００３１】
クリップ２は射出成形によって後軸筒３と一体成形される。クリップ２及び後軸筒３は典型的にはポリプロピレン又はポリカーボネート等の硬質の樹脂材料によって構成される。後軸筒３は、後軸筒３の内部と相補的な形状のコアピンの周りに成形される。
【００３２】
以下、図７〜図１１を参照して、クリップ２の成形方法について説明する。図７は、本発明の第１実施形態に係るクリップ２の概略図である。図８は、図７のクリップ２の底面図である。簡略化のために、接続部２１及び後軸筒３は図から省かれる。また、図８に示されるように、貫通孔２５は単純な楕円形状として示される。
【００３３】
クリップ２及び後軸筒３を成形するための金型構造において、クリップ２を成形するための金型の下には、後軸筒３を成形するためのコアピンが延びている。このため、上下に開く金型を構成することはできない。一方、左右に開く金型ではクリップ２の貫通孔２５を形成することができない。このため、クリップ２が後軸筒３と一体成形され且つクリップ２に貫通孔２５が設けられる場合、左右及び上の三方向に開く三方割の金型を用いてクリップ２を成形する必要がある。貫通孔２５の代わりに凹部がクリップ２の上面に設けられる場合も同様である。
【００３４】
図９は、図８のＢ−Ｂ方向から見た、クリップ２を成形するための金型１０の断面図である。図１０は、図８のＢ−Ｂ方向から見たクリップ２の断面図である。金型１０は、三方向に開く三つのブロック１１、１２、１３から構成される。成形後の離型時には、第１ブロック１１が最初に上に移動し、その後、第２ブロック１２及び第３ブロック１３が左右に開く。図９及び図１０から分かるように、離型後には金型１０の空洞部１４と相補的な形状が形成される。
【００３５】
従来の左右に開く金型では、パーティングラインがクリップ本体２２の上面並びにクリップ本体２２及び玉部２３の下面に形成される。クリップ本体２２の上面は外観上目立つ部分であり且つ指で触れられることが多い。このため、クリップ本体２２の上面に形成されたパーティングラインは、クリップ本体２２に指で触れたときに不快感を生じさせ又は外観上のデザイン性を低下させる。また、成形後にクリップ本体２２の上面に印刷等の加飾が行われる場合、パーティングラインは加飾処理の妨げとなる。一方、三方割の金型では、図９から分かるように、第１ブロック１１がクリップ本体２２の上面全体を覆うように金型１０を構成することで、パーティングラインはクリップ本体２２の側面並びにクリップ本体２２及び玉部２３の下面に形成されるようになる。このため、クリップ本体２２の上面にパーティングラインが形成されないので、上記問題点が解消される。
【００３６】
図１１は、図８のＣ−Ｃ方向から見た、クリップ２を成形するための金型１０の断面図である。図１１では、玉部２３を形成するための第１空洞部１５と、クリップ本体２２を形成するための第２空洞部１６とが示される。第１空洞部１５は、その幅方向の長さが下方に向かって増大するように逆テーパー状に形成される。このため、成形された玉部２３は、その幅方向の長さが下方に向かって増大する逆テーパー状のテーパー部を２６有する。テーパー角度は例えば片側約３°〜８°である。
【００３７】
クリップ２を離型するために第１ブロック１１が上に移動すると、離型抵抗によって、上向きの力がクリップ２全体に作用する。このとき、成形された玉部２３は、テーパー部２６が第２ブロック１２及び第３ブロック１３の逆テーパー面と接触するため、逆テーパー面から下向きの分力を受ける。言い換えれば、第１ブロック１１が上に移動すると、テーパー部２６は第２ブロック１２及び第３ブロック１３と係合する。このため、クリップ２が第１ブロック１１と共に上に持ち上げられないので、離型後にクリップ２の自由端部２４が上に反ることが防止される。
【００３８】
図示しないが、第１空洞部１５に加えて又は第１空洞部１５の代わりに、第２空洞部１６が、その幅方向の長さが下方に向かって増大するように逆テーパー状に形成されてもよい。この場合、成形されたクリップ本体２２は、その幅方向の長さが下方に向かって増大する逆テーパー状のテーパー部を有する。テーパー角度は例えば片側約３°〜８°である。この構成では、第１ブロック１１が上に移動すると、クリップ本体２２が第２ブロック１２及び第３ブロック１３の逆テーパー面から下向きの分力を受ける。言い換えれば、第１ブロック１１が上に移動すると、クリップ本体２２のテーパー部は第２ブロック１２及び第３ブロック１３と係合する。このため、離型後にクリップ２の自由端部２４が上に反ることが防止される。
【００３９】
図１２は、本発明の第２実施形態に係るクリップ２０の概略図である。簡略化のために、接続部及び後軸筒は図から省かれる。図１２において示されるように、成形された玉部２３０及びクリップ本体２２０は、それぞれ、その長手方向の長さが下方に向かって増大する逆テーパー状のテーパー部２６０、２７０を有する。テーパー角度は例えば片側約３°〜８°である。この場合も、第１ブロック（図示せず）が上に移動すると、玉部２３０及びクリップ本体２２０が第２ブロック及び第３ブロック(図示せず）の逆テーパー面から下向きの分力を受ける。言い換えれば、第１ブロックが上に移動すると、玉部２３０のテーパー部２６０及びクリップ本体２２０のテーパー部２７０はそれぞれ第２ブロック及び第３ブロックと係合する。このため、離型後にクリップ２０の自由端部２４０が上に反ることが防止される。なお、玉部２３０及びクリップ本体２２０のいずれか一方が、その長手方向の長さが下方に向かって増大する逆テーパー状のテーパー部を有してもよい。
【００４０】
以上、本発明に係る好適な実施形態を説明したが、本発明はこの実施形態に限定されるものではなく、特許請求の範囲の記載内で様々な修正及び変更を施すことができる。例えば、筆記具は、シャープペン等の他の筆記具であってもよい。また、クリップは、三方割の金型によって成形されるのであれば、一体成形ではなく単体で成形され、その後、筆記具部品に取り付けられてもよい。さらに、クリップは、キャップや軸筒等の他の筆記具部品と一体成形されてもよい。
【符号の説明】
【００４１】
１    筆記具
２、２０    クリップ
３    後軸筒
４    前軸筒
５    グリップ
６    ノック部
１０    金型
１１    第１ブロック
１２    第２ブロック
１３    第３ブロック
１４    空洞部
１５    第１空洞部
１６    第２空洞部
２１    接続部
２２、２２０    クリップ本体
２３、２３０    玉部
２４、２４０    自由端部
２５    貫通孔
２６、２６０    玉部のテーパー部
２７０    クリップ本体のテーパー部
３１    後端部
３２    内筒部
【図１】
2014046482.tif 000003
【図２】
2014046482.tif 000004
【図３】
2014046482.tif 000005
【図４】
2014046482.tif 000006
【図５】
2014046482.tif 000007
【図６】
2014046482.tif 000008
【図７】
2014046482.tif 000009
【図８】
2014046482.tif 000010
【図９】
2014046482.tif 000011
【図１０】
2014046482.tif 000012
【図１１】
2014046482.tif 000013
【図１２】
2014046482.tif 000014